(57)【要約】【課題】振動補償（防振）のための機構を具備し、装置全体の小型化を可能とし、かつ振動補償時に良好な画像を得ることができる防振機能を有したズームレンズを得ること。【解決手段】光軸に対し垂直方向の成分を持つように移動して像位置を変える防振レンズ群を含むレンズ群Ｂと、該レンズ群Ｂの物体側に隣接して配置された正の屈折力のレンズ群Ａを有し、ズーミングに際して、該レンズ群Ａとレンズ群Ｂの間隔が変化するズームレンズであって、該レンズ群Ａは少なくとも３つの正レンズ成分で構成され、少なくとも１つの非球面形状のレンズ面を含むこと。【選択図】図１
2006227526.tif 000002
【特許請求の範囲】
【請求項１】
光軸に対し垂直方向の成分を持つように移動して像位置を変える防振レンズ群を含むレンズ群Ｂと、該レンズ群Ｂの物体側に隣接して配置された正の屈折力のレンズ群Ａを有し、ズーミングに際して、該レンズ群Ａとレンズ群Ｂの間隔が変化するズームレンズであって、該レンズ群Ａは少なくとも３つの正レンズ成分で構成され、少なくとも１つの非球面形状のレンズ面を含むことを特徴とするズームレンズ。
【請求項２】
広角端に比べ望遠端で前記レンズ群Ａと前記レンズ群Ｂの間隔が大きくなることを特徴とする請求項１のズームレンズ。
【請求項３】
前記防振レンズ群と前記レンズ群Ｂは共に負の屈折力であり、該レンズ群Ｂの像側には、正の屈折力のレンズ群Ｃが配置されており、広角端に比べ望遠端での該レンズ群Ｂと該レンズ群Ｃとの間隔は小さくなり、望遠端における該防振レンズ群の横倍率をβｉｓｔ、望遠端における該防振レンズ群より像側に位置する光学系の横倍率をβｒｔとするとき
１．０  ＜  ｜（１−βｉｓｔ）×βｒｔ｜＜  ２．０
なる条件を満足することを特徴とする請求項１又は２のズームレンズ。
【請求項４】
望遠端における全系の焦点距離をｆｔ、前記防振レンズ群の焦点距離をｆｉｓ、前記レンズ群Ｂの焦点距離をｆｂ、該防振レンズ群の最も物体側の面の曲率半径をＲｉｓ１とするとき
０．３  ＜  ｜ｆｉｓ｜／ｆｔ  ＜  ０．７
０．１５＜  ｜ｆｂ｜／ｆｔ＜  ０．４５
０．３  ＜  ｜Ｒｉｓ１｜／ｆｔ
なる条件を満足することを特徴とする請求項１，２又は３のズームレンズ。
【請求項５】
望遠端における全系の焦点距離をｆｔ、前記レンズ群Ａの焦点距離をｆａとするとき
０．１５＜ｆａ／ｆｔ＜０．３
なる条件を満足することを特徴とする請求項１から４のいずれか１項のズームレンズ。
【請求項６】
前記レンズ群Ａの物体側には、物体側から像側へ順に、正の屈折力の第１レンズ群、負の屈折力の第２レンズ群が配置されており、前記レンズ群Ｂの像側には正の屈折力のレンズ群Ｃが配置されており、広角端に比べ望遠端での該第１レンズ群と該第２レンズ群の間隔は大きく、該第２レンズ群と該レンズ群Ａの間隔は小さく、該第１，第２レンズ群の焦点距離を各々ｆ１，ｆ２、該レンズ群Ｃの焦点距離をｆＣ、望遠端における全系の焦点距離をｆｔとするとき
０．５    ＜    ｆ１  ／ｆｔ  ＜  １．３
０．０５  ＜  ｜ｆ２｜／ｆｔ  ＜  ０．２
０．２５  ＜    ｆｃ  ／ｆｔ  ＜  ０．７
なる条件を満足することを特徴とする請求項１から５のいずれか１項のズームレンズ。
【請求項７】
物体側から像側へ順に、正の屈折力の第１レンズ群、負の屈折力の第２レンズ群、正の屈折力の第３レンズ群、負の屈折力の第４レンズ群、正の屈折力の第５レンズ群を有し、該第４レンズ群は光軸と垂直方向の成分を持つように移動させることによって像位置を変える防振レンズ群を有し、広角側に比べ望遠側で、該第１レンズ群と第２レンズ群の間隔は大きく、該第２レンズ群と第３レンズ群の間隔は小さく、該第３レンズ群と第４レンズ群の間隔は大きく、該第４レンズ群と第５レンズ群の間隔は小さいズームレンズにおいて、該第３レンズ群は少なくとも３つの正レンズ成分と、少なくとも１つの非球面形状のレンズ面を有し、望遠端における該防振レンズ群の横倍率をβｉｓｔ、望遠端における該防振レンズ群より像側に位置する光学系の横倍率をβｒｔとするとき
１．０  ＜  ｜（１−βｉｓｔ）×βｒｔ｜  ＜  ２．０
なる条件を満足することを特徴とするズームレンズ。
【請求項８】
前記第４レンズ群は、光軸と垂直方向の成分を持つように移動して像位置を変える防振レンズ群と、ズーミングに際して該防振レンズ群との間隔を変えるサブレンズ群とを有することを特徴とする請求項７のズームレンズ。
【請求項９】
望遠端における前記第４レンズ群の焦点距離をｆ４ｔ、前記防振レンズ群の焦点距離をｆｉｓ、望遠端における全系の焦点距離をｆｔ、該防振レンズ群の最も物体側の面の曲率半径をＲｉｓ１とするとき
０．３      ＜  ｜ｆｉｓ｜／ｆｔ  ＜  ０．７
０．１５  ＜  ｜ｆ４ｔ｜／ｆｔ    ＜  ０．４５
０．３      ＜    ｜  Ｒｉｓ１｜／ｆｔ  
なる条件を満足することを特徴とする請求項８のズームレンズ。
【請求項１０】
前記第３レンズ群の焦点距離をｆ３、望遠端における全系の焦点距離をｆｔとするとき
０．１５  ＜  ｆ３  ／ｆｔ      ＜  ０．３
なる条件を満足することを特徴とする請求項７，８又は９のズームレンズ。
【請求項１１】
前記第１，第２，第５レンズ群の焦点距離を順にｆ１，ｆ２，ｆ５、望遠端における全系の焦点距離をｆｔとするとき
０．５        ＜    ｆ１  ／ｆｔ  ＜  １．３
０．０５      ＜  ｜ｆ２｜／ｆｔ  ＜  ０．２
０．２５      ＜    ｆ５  ／ｆｔ  ＜  ０．７
なる条件を満足することを特徴とする請求項７〜１０のいずれか１項のズームレンズ。
【請求項１２】
固体撮像素子上に像を形成することを特徴とする請求項１から１１のいずれか１項のズームレンズ。
【請求項１３】
請求項１から１２のいずれか１項のズーミングと、該ズームレンズによって形成された像を受光する固体撮像素子を有していることを特徴とする撮像装置。
【発明の詳細な説明】
【技術分野】
【０００１】
本発明は、ズームレンズ及びそれを有する撮像装置に関し、ビデオカメラやデジタルスチルカメラ等の電子カメラやフィルム用カメラや放送用カメラ等に好適に用いられるものである。
【背景技術】
【０００２】
撮影系に偶発的に振動が伝わると撮影画像に画像のブレが生じる。従来、この偶発的な振動による画像のブレを補償する機構（防振機構）を具備したズームレンズが種々と提案されている。例えば光学系（ズームレンズ）を構成するレンズ群の一部を光軸と略垂直な方向に移動させて振動による画像ブレを補償する光学系が知られている（特許文献１〜７）。
【０００３】
一般に撮影系が振動によって傾くと、撮影画像はその傾き角と撮影系の焦点距離に応じた量だけ変位する。このため静止画の撮像装置においては、画質の劣化を防止するために撮影時間を十分に短くしなければならないという問題があり、また動画の撮像装置においては、構図の設定を維持することが困難となるという問題がある。そのためこのような撮影の際には、撮影系が振動によって傾いた際にも撮影画像の変倍、所謂撮影画像のブレが発生しないように補正することが必要となってくる。
【０００４】
特許文献１は、主として一眼レフカメラ用の望遠型のズームレンズに適用するのに好適な実施形態を開示している。特許文献１では、物体側から像側へ順に、正の屈折力を有する第１レンズ群、負の屈折力を有する第２レンズ群、正の屈折力を有する第３レンズ群、正の屈折力を有する第４レンズ群、正の屈折力を有する第５レンズ群より構成される５群のズームレンズにおいて、第５レンズ群を負レンズ群と正レンズ群で構成し、前記負レンズ群を光軸と略垂直な方向に移動させることによって画像のブレを補償する構成を開示している。
【０００５】
特許文献２は、主として一眼レフカメラ用の標準型のズームレンズに適用するのに好適な実施形態を開示している。特許文献２では、物体側から像側へ順に、正の屈折力を有する第１レンズ群、負の屈折力を有する第２レンズ群、正の屈折力を有する第３レンズ群、正の屈折力を有する第４レンズ群より構成される４群のズームレンズにおいて、第２レンズ群を光軸と略垂直な方向に移動させることによって画像のブレを補償する構成を開示している。
【０００６】
特許文献３は、主として一眼レフカメラ用の標準型のズームレンズに適用するのに好適な実施形態を開示している。特許文献３では、物体側から像側へ順に、正の屈折力を有する第１レンズ群、負の屈折力を有する第２レンズ群、正の屈折力を有する第３レンズ群、正の屈折力を有する第４レンズ群、負の屈折力を有する第５レンズ群、正の屈折力を有する第６レンズ群より構成される６群のズームレンズにおいて、第５レンズ群を光軸と略垂直な方向に移動させることによって画像のブレを補償する構成を開示している。
【０００７】
特許文献４は、主として一眼レフカメラ用の大口径望遠型のズームレンズに適用するのに好適な実施形態を開示している。
【０００８】
特許文献４では、物体側から像側へ順に、正の屈折力を有する第１レンズ群、正の屈折力を有する第２レンズ群、負の屈折力を有する第３レンズ群、正の屈折力を有する第４レンズ群、正の屈折力を有し変倍中固定の第５レンズ群より構成される５群のズームレンズにおいて、第５レンズ群を正の屈折力のレンズ群、負の屈折力のレンズ群、正の屈折力のレンズ群で構成し、前記負の屈折力のレンズ群を光軸と略垂直な方向に移動させることによって画像のブレを補償する構成を開示している。
【０００９】
特許文献５，６は、主として放送用カラーテレビカメラ用のズームレンズに適用するのに好適な実施形態を開示している。特許文献５，６では、物体側から像側へ順に、ズーミング時固定の正の屈折力を有する第１レンズ群、負の屈折力を有する第２レンズ群、正又は負の屈折力を有する第３レンズ群、ズーミング時固定の正の屈折力を有する第４レンズ群を有し、前記第４レンズ群中に配置された負の屈折力のレンズ群を光軸と略垂直な方向に移動させることによって画像のブレを補償する構成を開示している。
【００１０】
特許文献７では、物体側から像側へ順に正の屈折力を有する第１レンズ群、負の屈折力を有する第２レンズ群、正の屈折力を有する第３レンズ群、負の屈折力を有する第４レンズ群、正の屈折力を有する第５レンズ群より構成される５群のズームレンズにおいて、第４レンズ群を光軸と略垂直な方向に移動させることによって画像のブレを補償する構成を開示している。
【特許文献１】特開平５−２２４１６０号公報
【特許文献２】特開平８−１３６８６２号公報
【特許文献３】特開平１０−１３３１１３号公報
【特許文献４】特開２００２−１６２５６４号公報
【特許文献５】特開２００１−１０００９９号公報
【特許文献６】特開２００４−１２６６３１号公報
【特許文献７】特開平１０−９０６０１号公報
【発明の開示】
【発明が解決しようとする課題】
【００１１】
一般に撮影系の一部のレンズ群を振動させて撮影画像のブレをなくし、静止画像を得る機構には画像のブレの補正量が大きいことやブレ補正の為に振動させるレンズ群（防振レンズ群）の移動量や回転量が少ないこと、そして装置全体が小型であること等が要望されている。
【００１２】
周知のとおり、防振レンズ群を偏心させたときに偏心収差が多く発生すると、画像のブレを補正したときに偏心収差の発生によって画像がボケてくる。したがって防振機能を有した光学系においては、防振レンズ群を光紬と直交する方向に移動させて偏心状態にしたときの偏心収差発生量が少ないことや、防振敏感度（防振レンズ群の単位移動量△Ｈに対する画像のブレの補正量△Ｘとの比△Ｘ／△Ｈ）の設定が適切であることや、画像のブレ補正の応答性を良好とするために、防振レンズ群の重量の軽減やレンズ外径の小型化等が必要とされている。
【００１３】
本発明は、振動補償（防振）のための機構を具備し、装置全体の小型化を可能とし、かつ振動補償時に良好な画像を得ることができるズームレンズ及びそれを有する撮像装置の提供を目的とする。
【課題を解決するための手段】
【００１４】
本発明のズームレンズは、光軸に対し垂直方向の成分を持つように移動して像位置を変える防振レンズ群を含むレンズ群Ｂと、該レンズ群Ｂの物体側に隣接して配置された正の屈折力のレンズ群Ａを有し、ズーミングに際して、該レンズ群Ａとレンズ群Ｂの間隔が変化するズームレンズであって、該レンズ群Ａは少なくとも３つの正レンズ成分で構成され、少なくとも１つの非球面形状のレンズ面を含むことを特徴としている。
【発明の効果】
【００１５】
本発明によれば、振動補償（防振）のための機構を具備し、装置全体の小型化を可能とし、かつ振動補償時に良好な画像を得ることができる防振機能を有したズームレンズが得られる。
【発明を実施するための最良の形態】
【００１６】
【実施例１】
【００１７】
以下、本発明のズームレンズ及びそれを有する撮像装置の実施例について説明する。
【００１８】
図１（Ａ），（Ｂ），（Ｃ）は本発明の実施例１のズームレンズの広角端、中間のズーム位置、望遠端におけるレンズ断面図、図２，図３，図４はそれぞれ実施例１のズームレンズの広角端、中間のズーム位置、望遠端における収差図である。
【００１９】
図５（Ａ），（Ｂ），（Ｃ）は本発明の実施例２のズームレンズの広角端、中間のズーム位置、望遠端におけるレンズ断面図、図６，図７，図８はそれぞれ実施例２のズームレンズの広角端、中間のズーム位置、望遠端における収差図である。
【００２０】
図９（Ａ），（Ｂ），（Ｃ）は本発明の実施例３のズームレンズの広角端、中間のズーム位置、望遠端におけるレンズ断面図、図１０，図１１，図１２はそれぞれ実施例３のズームレンズの広角端、中間のズーム位置、望遠端における収差図である。
【００２１】
図１３（Ａ），（Ｂ），（Ｃ）は本発明の実施例４のズームレンズの広角端、中間のズーム位置、望遠端におけるレンズ断面図、図１４，図１５，図１６はそれぞれ実施例４のズームレンズの広角端、中間のズーム位置、望遠端における収差図である。
【００２２】
図１７は本発明のズームレンズを備えるデジタルカメラ（撮像装置）の要部概略図である。
【００２３】
各実施例のズームレンズは撮像装置に用いられる撮影レンズ系である。レンズ断面図１，５，９，１３において、左方が被写体側（前方）で右方が像側（後方）である。
【００２４】
各実施例のズームレンズは、レンズ断面図に示すように、光軸に対し垂直方向の成分を持つように移動させて像位置を変える負の屈折力の防振レンズ群ＩＳを含む全体として負の屈折力のレンズ群Ｂと、レンズ群Ｂの物体側に隣接して配置された正の屈折力のレンズ群Ａを有し、ズーミングに際して、レンズ群Ａとレンズ群Ｂとが間隔を変えながら移動するズームレンズである。
【００２５】
ここでレンズ群Ａは少なくとも３つの正レンズ成分（１つのレンズ成分は単一レンズ又は接合レンズで構成される）と、少なくとも１つの非球面形状のレンズ面を含んでいる。
【００２６】
一般にレンズ群を小型化するためには、レンズ外径（レンズ有効径）を小さくする必要がある。レンズ外径を小さくするためには、レンズ群に入射する光束をそのレンズ群の光入射側で充分に収斂させることが必要となる。
【００２７】
そのためには、レンズ群の物体側に強い正の屈折力を有するレンズ群を配置すればよいが、屈折力をあまり強くすると、球面収差等の収差が多く発生しやすくなり、良好なる光学性能を維持することが困難になってくる。
【００２８】
そこで各実施例では防振レンズ群ＩＳの物体側に、正の屈折力の少なくとも３つの正レンズ成分を有し、かつ少なくとも１つの非球面形状のレンズ面を有するレンズ群Ａを配置し、防振レンズ群ＩＳの外径を小型化にしている。レンズ群Ａの正の屈折力を３つの正レンズ成分で分担し、更に非球面を配置することで、強い屈折力と収差補正を同時に達成しやすくしている。このとき、非球面形状は光軸から離れるにしたがって（レンズ中心から周辺にいくにつれて）正の屈折力が小さくなる形状が望ましい。
【００２９】
また、光学系全体で効率良くズーミングするために、ズーミングに際してレンズ群Ａと防振レンズ群ＩＳを含むレンズ群Ｂとの間隔を変化させ、変倍に寄与できるようにしている。さらに、ズーミングに伴う軸上色収差の変動を抑制しやすくする為に、レンズ群Ａ中の正レンズの材料のアッベ数の平均値よりも小さいアッベ数の材料より成る負レンズをレンズ群Ａ中に少なくとも１枚配置している。
【００３０】
又、ズーミングに際しては、広角端に比べ望遠端でのレンズ群Ａとレンズ群Ｂとの間隔が大きくなるようにレンズ群Ａとレンズ群Ｂは移動している。
【００３１】
これにより軸上光束径が増大する望遠端において、レンズ群Ａから射出した軸上光束が収斂する距離を確保しやすくして、防振レンズ群ＩＳの小型化を容易にしている。
【００３２】
各実施例においてレンズ群Ｂは負の屈折力の防振レンズ群ＩＳと負の屈折力のサブレンズ群ＢＳより成っている。
【００３３】
図１，図５，図９の実施例１〜３ではレンズ群Ｂはズーミングに際して防振レンズ群ＩＳとサブレンズ群ＢＳとの間隔は変化しないように双方を一体的に移動させている。
【００３４】
図１３の実施例４ではレンズ群Ｂはズーミングに際して、防振レンズ群ＩＳとサブレンズ群ＢＳとの間隔が変化するように双方を移動させている。
【００３５】
レンズ群Ｂの像側には、正の屈折力のレンズ群Ｃが配置されており、広角端に比べ望遠端での防振レンズ群ＩＳを含むレンズ群Ｂとレンズ群Ｃとの間隔が小さくなるようにズーミングに際してレンズ群Ｃを移動させている。
【００３６】
これにより、光学系全体のズーム比の確保と望遠端における防振敏感度を適切に確保している。
【００３７】
特に広角端から望遠端へのズーミングの際、レンズ群Ａとレンズ群Ｂの距離が小さくなり、レンズ群Ｂ中の負の屈折力を有する防振レンズ群ＩＳとレンズ群Ｃの距離が小さくなるようにして、光学系全体で効率よく変倍している。特にレンズ群Ｃの増倍効果によって、所定の大きさの防振敏感度の確保を容易にしている。
【００３８】
レンズ群Ａの物体側には、物体側から像側へ順に、正の屈折力を有する第１レンズ群Ｌ１、負の屈折力を有する第２レンズ群Ｌ２が配置されており、広角端に比べ望遠端での第１レンズ群Ｌ１と該第２レンズ群Ｌ２の間隔が大きく、第２レンズ群Ｌ２とレンズ群Ａの間隔が小さくなるように、ズーミングに際して各レンズ群が移動している。
【００３９】
これによりポジティブリードタイプのパワー配置とすることができ、所定のズーム比を効果的に得ている。
【００４０】
次に各実施例のズームレンズの構成について説明する。
【００４１】
図１，図５，図９，図１３のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。
【００４２】
ここで第３レンズ群Ｌ３はレンズ群Ａ、第４レンズ群Ｌ４はレンズ群Ｂ、第５レンズ群Ｌ５はレンズ群Ｃに相当している。
【００４３】
第４レンズ群Ｌ４は、防振レンズ群ＩＳに相当する負の屈折力の第４ａレンズ群Ｌ４ａと、サブレンズ群ＢＳに相当する負の屈折力の第４ｂレンズ群とを有している。第３レンズ群Ｌ３は、２つの正の屈折力の単レンズと、１つの正の屈折力の接合レンズの３つのレンズ成分で構成されている。
【００４４】
ＳＰは開口絞り、ＦＳはズーミングに際して開口径を変化させるＦナンバー絞りであり、各々第３レンズ群Ｌ３中と第３レンズ群Ｌ３の物体側に位置している。
【００４５】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。
【００４６】
各実施例では、広角端から望遠端へのズーミングに際して矢印のように、第１レンズ群Ｌ１は、第１レンズ群Ｌ１と第２レンズ群Ｌ２との間隔が広がるように物体側へ移動している。第２レンズ群Ｌ２は像側に凸形状の軌跡を有するように移動している。第３レンズ群Ｌ３は、第２レンズ群Ｌ２と第３レンズ群Ｌ３との間隔が狭くなるように物体側へ移動している。第４レンズ群Ｌ４は、第３レンズ群Ｌ３との間隔が広がるように物体側へ移動している。第５レンズ群Ｌ５は、第４レンズ群Ｌ４との間隔が狭くなるように第３レンズ群Ｌ３と一体的に物体側へ移動している。
【００４７】
図１，図５，図９の実施例１，２，３ではズーミングに際して、第４ａレンズ群Ｌ４ａと第４ｂレンズ群Ｌ４ｂは一体的に移動している。
【００４８】
図１３の実施例４では、ズーミングに際して第４ａレンズ群Ｌ４ａと第４ｂレンズ群Ｌ４ｂとの間隔を変えるように該第４ａレンズ群Ｌ４ａと第４ｂレンズ群Ｌ４ｂは移動している。これによってズーミングに伴う像面変動を少なくなるようにしている。
【００４９】
開口絞りＳＰとＦナンバー絞りＦＳは、ズーミングに際して第３レンズ群Ｌ３と一体的に移動する。
【００５０】
各実施例においてフォーカスは第２レンズ群Ｌ２を移動させて行っている。
【００５１】
尚、フォーカスはレンズ系全体又は複数のレンズ群を移動させて行っても良い。
【００５２】
防振用の第４ａレンズ群Ｌ４ａは、光軸と垂直方向の成分を持つように移動させて、ズームレンズ全系が形成する結像位置を光軸と垂直方向に変化させている。
【００５３】
第４ａレンズ群Ｌ４ａは、正レンズと負レンズとの接合レンズより成り、第４ｂレンズ群Ｌ４ｂは正レンズと負レンズの接合レンズより成っている。
【００５４】
尚、各実施例において、第４ｂレンズ群Ｌ４ｂを防振レンズ群としても良く、又第４レンズ群Ｌ４全体を防振レンズ群としても良い。
【００５５】
各実施例では、結像位置（画像）の変位を行う防振レンズ群ＩＳを前述の如く構成することによって、高い防振敏感度を確保し、かつ防振時に発生する偏芯倍率色収差が少なくなるようにしている。
【００５６】
尚、図１，図５，図９の実施例１，２，３は全体として５つのレンズ群より成る５群ズームレンズとして、又図１３の実施例４は全体として６つのレンズ群より成る６群ズームレンズとして取り扱うことができる。
【００５７】
物体側から像側へ順に、正、負、正、負、正の屈折力のレンズ群を有し、広角端から望遠端のズーミングの際、各レンズ群が間隔変化を行うズームレンズは、ズーム効率が高いことで知られており、従来から様々な高変倍のズームレンズに採用されている。
【００５８】
ここで、上記レンズタイプを含め所謂ポジティブリードタイプのズームレンズは前玉に加えて、主変倍レンズ群である負の屈折力の第２レンズ群も比較的大型のレンズ系となる。したがって、各実施例のズームレンズを上記ズームタイプに適用しようとすると、正の屈折力の第３レンズ群をレンズ群Ａとし、負の屈折力の第４レンズ群をレンズ群Ｂとし、第４レンズ群を構成する少なくとも一部のレンズ群を光軸と略垂直方向の成分を持つように移動させることによって防振を行えば、効率よく防振レンズ群ＩＳの小型化ができ、高ズーム比と装置全体の小型化を両立しやすくなる。
【００５９】
さらに後述するように条件式（１）を満足することによって、望遠端における防振敏感度を適切に設定している。
【００６０】
又、第３レンズ群Ｌ３中に設ける非球面形状は光軸から離れるにしたがって正の屈折力が小となる形状とし、また、ズーミングに伴う軸上色収差の変動を抑制しやすくする為に、第３レンズ群Ｌ３中の正レンズの材料のアッベ数の平均値よりもアッベ数の小さい材料より成る負レンズを第３レンズ群中に少なくとも１枚配置している。
【００６１】
又、各実施例では次の条件式のうち１以上を満足するようにして、各条件式に相当する効果を得ている。
【００６２】
望遠端における防振レンズ群ＩＳの横倍率をβｉｓｔ、望遠端における防振レンズ群ＩＳより像側に位置する光学系の横倍率βｒｔ、望遠端における全系の焦点距離をｆｔ、防振レンズ群ＩＳの焦点距離をｆｉｓ、レンズ群Ａ，Ｂ，Ｃ（第３，第４，第５レンズ群）の焦点距離を順にｆａ（ｆ３），ｆｂ（ｆ４），ｆｃ（ｆ５）、防振レンズ群ＩＳの最も物体側の面の曲率半径をＲｉｓ１、第１，第２レンズ群の焦点距離を各々ｆ１，ｆ２、レンズ群Ｂが光軸と垂直方向の成分を持つように移動して像位置を変える防振レンズ群ＩＳと、ズーミングに際して防振レンズ群ＩＳとの間隔を変えるサブレンズ群ＢＳとを有するときの、望遠端におけるレンズ群Ｂの焦点距離をｆ４ｔとするとき、
１．０  ＜  ｜（１−βｉｓｔ）×βｒｔ｜＜  ２．０  ・・・・・（１）
０．３  ＜  ｜ｆｉｓ｜／ｆｔ  ＜  ０．７            ・・・・・（２）
０．１５＜  ｜ｆｂ｜／ｆｔ＜０．４５                ・・・・・（３）
０．３  ＜  ｜Ｒｉｓ１｜／ｆｔ                      ・・・・・（４）
０．１５＜ｆａ／ｆｔ＜０．３                        ・・・・・（５）
０．５    ＜    ｆ１  ／ｆｔ  ＜  １．３            ・・・・・（６）
０．０５  ＜  ｜ｆ２｜／ｆｔ  ＜  ０．２            ・・・・・（７）
０．２５  ＜    ｆｃ  ／ｆｔ  ＜  ０．７            ・・・・・（８）
０．１５  ＜  ｜ｆ４ｔ｜／ｆｔ  ＜  ０．４５        ・・・・・（９）
の条件のうち１以上を満足するようにしている。
【００６３】
条件式（１）は、防振レンズ群ＩＳの望遠端における防振敏感度を適切に設定するための条件である。下限を越えると防振敏感度が小さくなりすぎ、画像のブレ補正時の防振レンズ群ＩＳの変位量が大きくなりすぎる。このために、防振レンズ群ＩＳの変位スペースや、防振レンズ群を変位させる為のアクチュエータが大型化するため、結果として装置全体が大型化するので望ましくない。また上限を超えると、防振敏感度が大きくなりすぎるため、防振レンズ群ＩＳの変位量の制御が困難となり、良好な防振性能を得るのが難しくなる。
【００６４】
条件式（２）は、防振レンズ群ＩＳの焦点距離を適切に設定するものである。下限を越えると望遠端における防振敏感度をある程度大きくするのが困難となる。又、上限を越えると防振敏感度が大きくなりすぎるので良くない。
【００６５】
条件式（３）はレンズ群Ｂ、条件式（９）は望遠端におけるレンズ群Ｂ（第４レンズ群Ｌ４）の焦点距離を適切に設定するものである。下限を越えると光学系全体で所定のズーム比を確保するのが難しくなり、又上限を越えるとズーミングに伴う球面収差の変動の抑制が困難となる。
【００６６】
条件式（４）は防振レンズ群ＩＳの最も物体側の面の曲率半径を適切に設定するものである。下限を越えると防振時の収差の補正が困難になる。
【００６７】
条件式（５）はレンズ群Ａ（第３レンズ群Ｌ３）の焦点距離を適切に設定するものである。下限を越えると光学系全体で所定のズーム比を確保するのが難しくなり、又レンズ群Ａによる軸上光束の収斂作用が小さくなり過ぎるために防振レンズ群ＩＳの小型化が困難になってくる。上限を越えるとズーミングに伴う球面収差の変動を小さくするのが困難となる。
【００６８】
条件式（６）は第１レンズ群Ｌ１の焦点距離を適切に設定するものである。下限を越えると特に、望遠端における球面収差の補正が困難となり、又上限を越えるとテレフォトタイプのパワー配置とするのが難しくなり、望遠端のＦナンバーを明るくすることが困難となる。
【００６９】
条件式（７）は第２レンズ群Ｌ２の焦点距離を適切に設定するものである。下限を越えると特に広角端における負の歪曲収差の補正が困難となり、又上限を越えると高いズーム比を確保するのが困難となってくる。
【００７０】
条件式（８）はレンズ群Ｃ（第５レンズ群Ｌ５）の焦点距離を適切に設定するものである。下限を越えると特に、広角端において、所定の長さのバックフォーカスを確保するのが困難となる。又、上限を越えると特に、広角端における負の歪曲収差を少なくするのが困難となってくる。
【００７１】
尚、各実施例において、更に好ましくは、前述の条件式（１）〜（９）の数値範囲を次の如く設定するのが良い。
【００７２】
１．２  ＜  ｜（１−βｉｓｔ）×βｒｔ｜＜  １．７  ・・・・・（１ａ）
０．３５＜  ｜ｆｉｓ｜／ｆｔ  ＜  ０．６            ・・・・・（２ａ）
０．２０＜  ｜ｆｂ｜／ｆｔ＜０．３５                ・・・・・（３ａ）
０．４  ＜  ｜Ｒｉｓ１｜／ｆｔ                      ・・・・・（４ａ）
０．１８＜ｆａ／ｆｔ＜０．２７                      ・・・・・（５ａ）
０．７    ＜    ｆ１  ／ｆｔ  ＜  １．１０          ・・・・・（６ａ）
０．１    ＜  ｜ｆ２｜／ｆｔ  ＜  ０．１７          ・・・・・（７ａ）
０．３５  ＜    ｆｃ  ／ｆｔ  ＜  ０．６０          ・・・・・（８ａ）
０．２０  ＜  ｜ｆ４ｔ｜／ｆｔ  ＜  ０．３５        ・・・・・（９ａ）
以上のように各実施例によれば、標準域を含み高いズーム比を持ちながらも全ズーム域にわたって良好な光学性能を維持するとともに、振動補償（防振）のための機構を具備した際にも装置全体の小型化を可能とし、かつ振動補償時にも良好な画像を得ることができる防振機能を有したズームレンズが得られる。
【００７３】
以下に、実施例１〜４に各々対応する数値実施例１〜４を示す。各数値実施例において、ｉは物体側からの面の順番を示し、Ｒｉは各面の曲率半径、Ｄｉは第ｉ面と第ｉ面＋１面との間の部材肉厚又は空気間隔、Ｎｉ、νｉはそれぞれｄ線を基準とした屈折率、アッベ数を示す。非球面形状は光軸からの高さｈの位置での光軸方向の変位を面頂点を基準にしてＸとするとき、
【００７４】
【数１】
2006227526.tif 000003
で表わされる。但し、Ｒは近軸曲率半径、Ａ，Ｂ，Ｃ，Ｄ，Ｅは非球面係数である。
【００７５】
又、［ｅ−Ｘ］は［×１０−Ｘ］を意味している。ｆは焦点距離、ＦｎｏはＦナンバー、ωは半画角を表わす。
【００７６】
又、前述の各条件式と数値実施例における諸数値との関係を［表１］に示す。
【００７７】
数値実施例 1 
ｆ＝ 24.92〜 101.90  Ｆｎｏ＝ 4.12 〜 4.92  ２ω＝81.9 〜 24.0
R 1 =  162.088      D 1 =  1.80      N 1 = 1.846660      ν 1 = 23.9
R 2 =   63.118      D 2 =  8.44      N 2 = 1.603112      ν 2 = 60.6
R 3 =    ∞         D 3 =  0.15
R 4 =   47.827      D 4 =  6.11      N 3 = 1.804000      ν 3 = 46.6
R 5 =  108.632      D 5 =  可変
* R 6 =  137.316      D 6 =  0.05      N 4 = 1.524210      ν 4 = 51.4
R 7 =   78.840      D 7 =  1.20      N 5 = 1.834807      ν 5 = 42.7
R 8 =   13.922      D 8 =  6.47
R 9 =  -29.385      D 9 =  1.00      N 6 = 1.882997      ν 6 = 40.8
R10 =   57.649      D10 =  0.15
R11 =   36.545      D11 =  5.26      N 7 = 1.805181      ν 7 = 25.4
R12 =  -26.885      D12 =  0.67
R13 =  -20.037      D13 =  1.21      N 8 = 1.772499      ν 8 = 49.6
R14 =  -46.820      D14 =  可変
R15 =   Fno絞り     D15 =  0.00
R16 =   31.436      D16 =  3.52      N 9 = 1.438750      ν 9 = 95.0
R17 = -824.359      D17 =  1.14
R18 =    絞り       D18 =  0.06
R19 =   28.850      D19 =  1.30      N10 = 1.784723      ν10 = 25.7
R20 =   16.816      D20 =  7.77      N11 = 1.487490      ν11 = 70.2
R21 =  -70.416      D21 =  0.15
* R22 =   54.991      D22 =  4.01      N12 = 1.583126      ν12 = 59.4
R23 =  -67.724      D23 =  可変
R24 =  -57.414      D24 =  3.19      N13 = 1.846660      ν13 = 23.9
R25 =  -16.614      D25 =  0.80      N14 = 1.762001      ν14 = 40.1
R26 =   62.852      D26 =  2.78
R27 =  -83.505      D27 =  2.29      N15 = 1.805181      ν15 = 25.4
R28 =  -28.764      D28 =  1.00      N16 = 1.834000      ν16 = 37.2
R29 =  803.160      D29 =  可変
* R30 =  140.201      D30 =  0.08      N17 = 1.524210      ν17 = 51.4
R31 =  198.013      D31 =  6.28      N18 = 1.589130      ν18 = 61.1
R32 =  -26.480      D32 =  0.15
R33 = -325.617      D33 =  6.72      N19 = 1.487490      ν19 = 70.2
R34 =  -21.088      D34 =  2.00      N20 = 1.846660      ν20 = 23.9
R35 =  -68.803
＼焦点距離     24.92    50.00    101.90
可変間隔＼
D 5             2.47    18.46     34.54
D14            19.55     8.26      1.34
D23             2.00     7.11     10.79
D29             9.80     4.69      1.01
非球面係数
6面 :  Ａ=0.00000e+00  Ｂ=1.78133e-05  Ｃ=-2.42673e-08  Ｄ=-4.58457e-11
Ｅ=4.70544e-13  F=0.00000e+00
22面 :  Ａ=0.00000e+00  Ｂ=-1.20966e-05  Ｃ=-5.81218e-09  Ｄ=8.34478e-12
Ｅ=-6.61383e-14  F=0.00000e+00
30面 :  Ａ=0.00000e+00  Ｂ=-8.50471e-06  Ｃ=2.78091e-09  Ｄ=1.69396e-11
Ｅ=-3.55921e-14  F=0.00000e+00
数値実施例 2 
ｆ＝ 24.70〜 101.90  Ｆｎｏ＝ 4.12 〜 4.88  ２ω＝82.4 〜 24.0
R 1 =  163.414      D 1 =  2.00      N 1 = 1.846660      ν 1 = 23.9
R 2 =   63.931      D 2 =  8.56      N 2 = 1.603112      ν 2 = 60.6
R 3 = -6534.851     D 3 =  0.15
R 4 =   47.133      D 4 =  6.18      N 3 = 1.804000      ν 3 = 46.6
R 5 =  104.404      D 5 =  可変
* R 6 =  111.469      D 6 =  1.25      N 4 = 1.834807      ν 4 = 42.7
R 7 =   13.619      D 7 =  6.55
R 8 =  -28.098      D 8 =  1.00      N 5 = 1.882997      ν 5 = 40.8
R 9 =   63.117      D 9 =  0.15
R10 =   37.714      D10 =  4.80      N 6 = 1.805181      ν 6 = 25.4
R11 =  -25.864      D11 =  0.61
R12 =  -19.726      D12 =  1.32      N 7 = 1.772499      ν 7 = 49.6
R13 =  -45.083      D13 =  可変
R14 =   Fno絞り     D14 =  0.00
R15 =   30.043      D15 =  3.75      N 8 = 1.438750      ν 8 = 95.0
R16 = -783.410      D16 =  1.11
R17 =    絞り       D17 =  0.03
R18 =   29.513      D18 =  1.30      N 9 = 1.784723      ν 9 = 25.7
R19 =   16.612      D19 =  7.58      N10 = 1.487490      ν10 = 70.2
R20 =  -73.923      D20 =  0.15
* R21 =   52.860      D21 =  4.11      N11 = 1.583126      ν11 = 59.4
R22 =  -65.809      D22 =  可変
R23 =  -59.753      D23 =  3.12      N12 = 1.846660      ν12 = 23.9
R24 =  -17.099      D24 =  0.80      N13 = 1.762001      ν13 = 40.1
R25 =   64.048      D25 =  2.62
R26 =  -81.495      D26 =  2.65      N14 = 1.805181      ν14 = 25.4
R27 =  -23.512      D27 =  1.00      N15 = 1.834000      ν15 = 37.2
R28 =  526.731      D28 =  可変
* R29 =  123.553      D29 =  6.59      N16 = 1.583126      ν16 = 59.4
R30 =  -25.580      D30 =  0.15
R31 = -201.300      D31 =  6.50      N17 = 1.487490      ν17 = 70.2
R32 =  -19.764      D32 =  2.00      N18 = 1.846660      ν18 = 23.9
R33 =  -62.989
＼焦点距離     24.70    50.00    101.90
可変間隔＼
D 5             2.47    17.81     34.61
D13            19.60     8.02      1.39
D22             2.00     7.23     10.72
D28             9.74     4.51      1.02
非球面係数
6面 :  Ａ=0.00000e+00  Ｂ=1.18577e-05  Ｃ=-1.33021e-08  Ｄ=-5.00695e-11
Ｅ=3.57384e-13  F=0.00000e+00
21面 :  Ａ=0.00000e+00  Ｂ=-1.19171e-05  Ｃ=-5.42206e-09  Ｄ=3.92367e-12
Ｅ=-4.88323e-14  F=0.00000e+00
29面 :  Ａ=0.00000e+00  Ｂ=-7.59788e-06  Ｃ=5.23723e-09  Ｄ=1.24060e-11
Ｅ=-2.68296e-14  F=0.00000e+00
数値実施例 3 
ｆ＝ 24.70〜 101.89  Ｆｎｏ＝ 4.12 〜 4.90  ２ω＝82.4 〜 24.0
R 1 =  158.837      D 1 =  2.00      N 1 = 1.846660      ν 1 = 23.9
R 2 =   65.553      D 2 =  8.20      N 2 = 1.592400      ν 2 = 68.3
R 3 = -9068.522     D 3 =  0.15
R 4 =   47.059      D 4 =  6.00      N 3 = 1.804000      ν 3 = 46.6
R 5 =  101.765      D 5 =  可変
* R 6 =  104.095      D 6 =  1.25      N 4 = 1.834807      ν 4 = 42.7
R 7 =   13.810      D 7 =  6.63
R 8 =  -29.327      D 8 =  1.00      N 5 = 1.882997      ν 5 = 40.8
R 9 =   59.023      D 9 =  0.15
R10 =   36.956      D10 =  5.00      N 6 = 1.805181      ν 6 = 25.4
R11 =  -26.906      D11 =  0.66
R12 =  -19.935      D12 =  1.21      N 7 = 1.772499      ν 7 = 49.6
R13 =  -45.313      D13 =  可変
R14 =   Fno絞り     D14 =  0.00
R15 =   33.668      D15 =  3.49      N 8 = 1.496999      ν 8 = 81.5
R16 = -3404.268     D16 =  1.18
R17 =    絞り       D17 =  0.03
R18 =   29.521      D18 =  1.30      N 9 = 1.784723      ν 9 = 25.7
R19 =   16.704      D19 =  7.66      N10 = 1.487490      ν10 = 70.2
R20 =  -65.979      D20 =  0.15
* R21 =   56.138      D21 =  4.06      N11 = 1.583126      ν11 = 59.4
R22 =  -67.959      D22 =  可変
R23 =  -57.542      D23 =  3.10      N12 = 1.846660      ν12 = 23.9
R24 =  -17.078      D24 =  0.80      N13 = 1.762001      ν13 = 40.1
R25 =   66.347      D25 =  2.57
R26 =  -88.635      D26 =  2.60      N14 = 1.805181      ν14 = 25.4
R27 =  -24.683      D27 =  1.00      N15 = 1.834000      ν15 = 37.2
R28 =  431.537      D28 =  可変
* R29 =  169.426      D29 =  6.36      N16 = 1.583126      ν16 = 59.4
R30 =  -25.975      D30 =  0.15
R31 = -346.720      D31 =  6.31      N17 = 1.496999      ν17 = 81.5
R32 =  -21.075      D32 =  2.00      N18 = 1.846660      ν18 = 23.9
R33 =  -68.473
＼焦点距離     24.70    50.01    101.89
可変間隔＼
D 5             2.47    17.90     34.62
D13            19.96     8.17      1.39
D22             2.00     7.24     10.87
D28             9.90     4.66      1.03
非球面係数
6面 :  Ａ=0.00000e+00  Ｂ=1.12669e-05  Ｃ=-1.22832e-08  Ｄ=-4.03407e-11
Ｅ=3.10610e-13  F=0.00000e+00
21面 :  Ａ=0.00000e+00  Ｂ=-1.06404e-05  Ｃ=-2.82821e-09  Ｄ=1.61365e-11
Ｅ=-5.24940e-14  F=0.00000e+00
29面 :  Ａ=0.00000e+00  Ｂ=-7.67472e-06  Ｃ=1.84327e-09  Ｄ=1.97516e-11
Ｅ=-4.59622e-14  F=0.00000e+00
数値実施例 4  
ｆ＝ 24.70〜 101.90  Ｆｎｏ＝ 4.12 〜 4.89  ２ω＝82.4 〜 24.0
R 1 =  168.793      D 1 =  2.00      N 1 = 1.846660      ν 1 = 23.9
R 2 =   64.266      D 2 =  8.38      N 2 = 1.603112      ν 2 = 60.6
R 3 = -4334.683     D 3 =  0.15
R 4 =   46.720      D 4 =  6.15      N 3 = 1.804000      ν 3 = 46.6
R 5 =  104.405      D 5 =  可変
* R 6 =  105.467      D 6 =  1.25      N 4 = 1.834807      ν 4 = 42.7
R 7 =   13.577      D 7 =  6.65
R 8 =  -28.166      D 8 =  1.00      N 5 = 1.882997      ν 5 = 40.8
R 9 =   65.531      D 9 =  0.15
R10 =   37.847      D10 =  4.95      N 6 = 1.805181      ν 6 = 25.4
R11 =  -26.028      D11 =  0.61
R12 =  -19.917      D12 =  1.21      N 7 = 1.772499      ν 7 = 49.6
R13 =  -45.900      D13 =  可変
R14 =   Fno絞り     D14 =  0.00
R15 =   33.981      D15 =  3.67      N 8 = 1.496999      ν 8 = 81.5
R16 = -488.332      D16 =  1.06
R17 =    絞り       D17 =  0.03
R18 =   29.761      D18 =  1.30      N 9 = 1.784723      ν 9 = 25.7
R19 =   16.390      D19 =  7.56      N10 = 1.487490      ν10 = 70.2
R20 =  -80.456      D20 =  0.15
* R21 =   56.798      D21 =  4.16      N11 = 1.583126      ν11 = 59.4
R22 =  -59.803      D22 =  可変
R23 =  -63.166      D23 =  3.02      N12 = 1.846660      ν12 = 23.9
R24 =  -17.903      D24 =  0.80      N13 = 1.762001      ν13 = 40.1
R25 =   66.095      D25 =  可変
R26 =  -64.435      D26 =  2.83      N14 = 1.805181      ν14 = 25.4
R27 =  -20.053      D27 =  1.00      N15 = 1.834000      ν15 = 37.2
R28 = 1076.865      D28 =  可変
* R29 =  123.114      D29 =  6.68      N16 = 1.583126      ν16 = 59.4
R30 =  -25.160      D30 =  0.15
R31 = -304.733      D31 =  6.92      N17 = 1.487490      ν17 = 70.2
R32 =  -19.636      D32 =  2.00      N18 = 1.846660      ν18 = 23.9
R33 =  -63.219
＼焦点距離     24.70    50.00    101.90
可変間隔＼
D 5             2.47    17.77     34.24
D13            20.01     8.16      1.39
D22             2.00     7.50     10.94
D25             4.00     2.73      2.19
D28             8.15     3.92      1.02
非球面係数
6面 :  Ａ=0.00000e+00  Ｂ=1.10425e-05  Ｃ=-1.13013e-08  Ｄ=-5.57536e-11
Ｅ=3.43203e-13  F=0.00000e+00
21面 :  Ａ=0.00000e+00  Ｂ=-1.00629e-05  Ｃ=9.87555e-12  Ｄ=1.36411e-11
Ｅ=1.79752e-14  F=0.00000e+00
29面 :  Ａ=0.00000e+00  Ｂ=-7.67333e-06  Ｃ=5.53403e-09  Ｄ=1.67441e-11
Ｅ=-4.06057e-14  F=0.00000e+00
【００７８】
【表１】
2006227526.tif 000004
次に、本発明のズームレンズを用いた一眼レフカメラシステムの実施形態を、図１７を用いて説明する。図１７において、１０は一眼レフカメラ本体、１１は本発明によるズームレンズを搭載した交換レンズ、１２は交換レンズ１１を通して得られる被写体像を記録するフィルムや撮像素子などの感光面、１３は交換レンズ１１からの被写体像を観察するファインダー光学系、１４は交換レンズ１１からの被写体像を感光面１２とファインダー光学系１３に切り替えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は感光面１２上に結像する。１８はサブミラー、１９は焦点検出装置である。
【００７９】
このように本発明のズームレンズを一眼レフカメラ交換レンズ等の光学機器に適用することにより、高い光学性能を有した光学機器が実現できる。
【００８０】
尚、本発明はクイックリターンミラーのない一眼レフカメラにも同様に適用することができる。
【００８１】
以上のように各実施例によれば、ズームレンズが振動（傾動）したときの画像のブレを、ズームレンズを構成する一部のレンズ群を光軸と垂直方向の成分を持つように移動させることにより、光学的に補正して静止画像が得られ、撮影画像の安定化を図った写真用カメラや、ビデオカメラ、電子スチルカメラ、デジタルカメラそして３-ＣＣＤ対応の電子カメラ等の撮像装置が得られる。
【図面の簡単な説明】
【００８２】
【図１】実施例１のレンズ断面図
【図２】実施例１に対応する数値実施例の広角端における収差図
【図３】実施例１に対応する数値実施例の中間のズーム位置における収差図
【図４】実施例１に対応する数値実施例の望遠端における収差図
【図５】実施例２のレンズ断面図
【図６】実施例２に対応する数値実施例の広角端における収差図
【図７】実施例２に対応する数値実施例の中間のズーム位置における収差図
【図８】実施例２に対応する数値実施例の望遠端における収差図
【図９】実施例３のレンズ断面図
【図１０】実施例３に対応する数値実施例の広角端における収差図
【図１１】実施例３に対応する数値実施例の中間のズーム位置における収差図
【図１２】実施例３に対応する数値実施例の望遠端における収差図
【図１３】実施例４のレンズ断面図
【図１４】実施例４に対応する数値実施例の広角端における収差図
【図１５】実施例４に対応する数値実施例の中間のズーム位置における収差図
【図１６】実施例４に対応する数値実施例の望遠端における収差図
【図１７】本発明の撮像装置の要部概略図
【符号の説明】
【００８３】
Ｌ１    第１レンズ群
Ｌ２    第２レンズ群
Ｌ３    第３レンズ群
Ｌ４    第４レンズ群
Ｌ５    第５レンズ群
ＦＳ    Ｆナンバー絞り
ＳＰ    開口絞り
ＩＰ    像面
ｄ      ｄ線
ｇ      ｇ線
Ｓ．Ｃ  正弦条件
ΔＳ    サジタル像面
ΔＭ    メリディオナル像面
Ｙ      像高
【図１】
2006227526.tif 000005
【図２】
2006227526.tif 000006
【図３】
2006227526.tif 000007
【図５】
2006227526.tif 000008
【図６】
2006227526.tif 000009
【図８】
2006227526.tif 000010
【図９】
2006227526.tif 000011
【図１０】
2006227526.tif 000012
【図１１】
2006227526.tif 000013
【図１２】
2006227526.tif 000014
【図１３】
2006227526.tif 000015
【図１４】
2006227526.tif 000016
【図１５】
2006227526.tif 000017
【図１６】
2006227526.tif 000018
【図１７】
2006227526.tif 000019
【図４】
2006227526.tif 000020
【図７】
2006227526.tif 000021